(57)【特許請求の範囲】
【請求項１】
建物の三次元モデル情報を入力し、該三次元モデル情報に基づいて前記建物内の空間を内側から見た内観の二次元画像を作成する内観画像作成装置において、
前記空間の平面形状、前記空間の開口、又は前記空間に配置されている建具、設備若しくは家具に基づき、視線の始点である視点の候補を抽出し、前記空間の平面形状、前記空間の開口、又は前記空間に配置されている建具の前記空間における位置に基づき前記視線の先の注視点の候補を夫々抽出する候補抽出部と、
該候補抽出部により抽出された視点の候補及び注視点の候補の組み合わせから視線を設定する視線設定部と、
設定された視線による前記空間の内観画像を作成する画像作成部と
を備えることを特徴とする内観画像作成装置。
【請求項２】
前記候補抽出部は、前記空間の開口部区間の中点に対応する位置、又は前記空間に配置されている建具の幅方向の中心に対応する位置を視点の候補として抽出する
ことを特徴とする請求項１に記載の内観画像作成装置。
【請求項３】
前記視線設定部は、
前記抽出された視点の候補及び注視点の候補の組み合わせに長さ又は方角に基づき優先順位を付与する順位付与部と、
付与した優先順位に基づき所定順位までの視線の候補を表示する視線候補表示部と
を更に備えることを特徴とする請求項１又は２に記載の内観画像作成装置。
【請求項４】
前記順位付与部は、視点から注視点への長さが他よりも長い視線、南から南東に亘る方角へ向いている視線、又は前記空間の開口を注視点とする視線に、より高い順位を付与する
請求項３に記載の内観画像作成装置。
【請求項５】
前記三次元モデル情報には、前記空間に配置されている建具、設備若しくは家具を含む内装品の寸法、又は種類を示す内装品情報が含まれており、
該内装品情報に対応する三次元モデル情報、並びに前記内装品の色及びテクスチャの情報から、前記内装品を設定された視線から見た内装品画像を作成する内装品画像作成部を更に備え、
前記画像作成部は、前記内装品画像を含む内観画像を作成する
ことを特徴とする請求項１から４のいずれか１つに記載の内観画像作成装置。
【請求項６】
前記内装品の色、テクスチャ又は三次元モデル情報を、複数のテーマ別に記憶しておくテーマ別記憶部を更に備え、
前記内装品画像作成部は、前記複数のテーマ別の前記内装品画像を作成し、
前記画像作成部は、前記複数のテーマ別の前記内装品画像を含む内観画像を作成する
ことを特徴とする請求項５に記載の内観画像作成装置。
【請求項７】
建物の三次元モデル情報を入力するコンピュータが、該三次元モデル情報に基づいて前記建物内の空間を内側から見た内観の二次元画像を作成する内観画像作成方法において、
前記コンピュータは、
前記空間の平面形状、前記空間の開口、又は前記空間に配置されている建具、設備若しくは家具に基づき、視線の始点である視点の候補を抽出し、
前記空間の平面形状、前記空間の間口、又は前記空間に配置されている建具の前記空間における位置に基づき前記視線の先の注視点の候補を抽出し、
抽出された視点の候補及び注視点の候補の組み合わせから、視線から注視点への視線を設定し、
設定された視線による前記空間の内観画像を作成する
ことを特徴とする内観画像作成方法。
【請求項８】
コンピュータに、建物の三次元モデル情報に基づいて前記建物内の空間を内側から見た内観の二次元画像を作成させるコンピュータプログラムにおいて、
前記コンピュータに、
前記空間の平面形状、前記空間の開口、又は前記空間に配置されている建具、設備若しくは家具に基づき、視線の始点である視点の候補を抽出するステップ、
前記空間の平面形状、前記空間の間口、又は前記空間に配置されている建具の前記空間における位置に基づき前記視線の先の注視点の候補を抽出するステップ、
抽出された視点の候補及び注視点の候補の組み合わせから、視線から注視点への視線を設定するステップ、及び
設定された視線による前記空間の内観画像を作成するステップ
を実行させることを特徴とするコンピュータプログラム。
【発明の詳細な説明】
【技術分野】
【０００１】
本願は、建築物の三次元モデルから、建築物の内部空間の画像を作成する内観画像作成装置に関する。
【背景技術】
【０００２】
住宅販売に際し、特に個人向けの注文住宅の場合、顧客にとっては設計担当者によって作成される図面及び素材の見本から現実的なイメージを掴むことが困難である。したがって顧客は、住宅販売に係る営業担当者、設計担当者には完成イメージのパース図を要望する。しかしながらパース図の作成には設計に関する専門的な知識を必要とし、更により美的バランスが優れたパース図を作成するには作成者のセンスを必要とし、パース図の作成には費用及び時間を要する。一方で顧客は注文住宅の施工の前に、壁の色、屋根の種類等の建築物の外観に係る部材から始まって、間取り、室内に設けられるキッチン等の設備、フローリング、クロス等内装部材等のインテリアを選択する必要がある。顧客は、それらを選択した場合の現実的なイメージを掴みたいと望むものであるが、選択が必要な場面毎に上述のパース図を専門的な技術者に作成させることは現実的でない。
【０００３】
特許文献１には、ＨＭＤ（Head Mounted Display ）を利用して三次元モデル情報に基づき、屋内外の所定の視点位置から見た状態を表すＣＧ画像を表示させ、建築予定の住宅での生活を顧客に体感させることができるウォークスルーを実現するＣＧ画像の表示方法が提案されている。
【０００４】
また特許文献２には、建築物の三次元モデル情報に基づき適切且つ迅速に自動的に外観パース図を作成する方法が開示されている。
【先行技術文献】
【特許文献】
【０００５】
【特許文献１】特開平１１−３１６８５５号公報
【特許文献２】特開２０１３−３７６５０号公報
【発明の概要】
【発明が解決しようとする課題】
【０００６】
特許文献１に開示しているようなウォークスルー体験は、事前に準備が必要であり、設備が整った特別な場所でなければ利用できるものではなく、注文住宅の外観及び内観夫々についての選択の都度に、手軽に行なうことができるものではない。
【０００７】
特許文献２には、外観パース図を自動的に作成する方法が開示されているが、内観パース図作成にそのまま適用することは困難である。建築物の外観パース図を描く際の視点としては正面又は玄関部分を臨む角度等、慣用的な視点が存在し、その視点を用いて作成することで顧客の要望を満たす外観パース図が実現できる。これに対し建築物の内観パース図の場合は、建築物の室内空間はその多様な間取りに応じて、広さ、高さ、又は形状等が多種多様である。したがって、建築物に含まれる空間夫々についてどこからどこを見た内観パース図を作成するかの判断は、専門的な知識が豊富であって技術者以外では困難であった。
【０００８】
本発明は斯かる事情に鑑みてなされたものであり、内観パース図を適切且つ迅速に作成することが可能な内観画像作成装置、内観画像作成方法及びコンピュータプログラムを提供することを目的とする。
【課題を解決するための手段】
【０００９】
本発明に係る内観画像作成装置は、建物の三次元モデル情報を入力し、該三次元モデル情報に基づいて前記建物内の空間を内側から見た内観の二次元画像を作成する内観画像作成装置において、前記空間の平面形状、前記空間の開口、又は前記空間に配置されている建具、設備若しくは家具に基づき、視線の始点である視点の候補を抽出し、前記空間の平面形状、前記空間の開口、又は前記空間に配置されている建具の前記空間における位置に基づき前記視線の先の注視点の候補を夫々抽出する候補抽出部と、該候補抽出部により抽出された視点の候補及び注視点の候補の組み合わせから視線を設定する視線設定部と、設定された視線による前記空間の内観画像を作成する画像作成部とを備えることを特徴とする。
【００１０】
本発明に係る内観画像作成装置は、前記候補抽出部は、前記空間の開口部区間の中点に対応する位置、又は前記空間に配置されている建具の幅方向の中心に対応する位置を視点の候補として抽出することを特徴とする。
【００１１】
本発明に係る内観画像作成装置は、前記視線設定部は、前記視線設定部は、前記抽出された視点の候補及び注視点の候補の組み合わせに長さ又は方角に基づき優先順位を付与する順位付与部と、付与した優先順位に基づき所定順位までの視線の候補を表示する視線候補表示部とを更に備えることを特徴とする。
また本発明に係る内観画像作成装置は、前記順位付与部は、視点から注視点への長さが他よりも長い視線、南から南東に亘る方角へ向いている視線、又は前記空間の開口を注視点とする視線に、より高い順位を付与するようにしてもよい。
【００１２】
本発明に係る内観画像作成装置は、前記三次元モデル情報には、前記空間に配置されている建具、設備若しくは家具を含む内装品の寸法、又は種類を示す内装品情報が含まれており、該内装品情報に対応する三次元モデル情報、並びに前記内装品の色及びテクスチャの情報から、前記内装品を設定された視線から見た内装品画像を作成する内装品画像作成部を更に備え、前記画像作成部は、前記内装品画像を含む内観画像を作成することを特徴とする。
【００１３】
本発明に係る内観画像作成装置は、前記内装品の色、テクスチャ又は三次元モデル情報を、複数のテーマ別に記憶しておくテーマ別記憶部を更に備え、前記内装品画像作成部は、前記複数のテーマ別の前記内装品画像を作成し、前記画像作成部は、前記複数のテーマ別の前記内装品画像を含む内観画像を作成することを特徴とする。
【００１４】
本発明に係る内観画像作成方法は、建物の三次元モデル情報を入力するコンピュータが、該三次元モデル情報に基づいて前記建物内の空間を内側から見た内観の二次元画像を作成する内観画像作成方法において、前記コンピュータは、前記空間の平面形状、前記空間の開口、又は前記空間に配置されている建具、設備若しくは家具に基づき、視線の始点である視点の候補を抽出し、前記空間の平面形状、前記空間の間口、又は前記空間に配置されている建具の前記空間における位置に基づき前記視線の先の注視点の候補を抽出し、抽出された視点の候補及び注視点の候補の組み合わせから、視線から注視点への視線を設定し、設定された視線による前記空間の内観画像を作成することを特徴とする。
【００１５】
本発明に係るコンピュータプログラムは、コンピュータに、建物の三次元モデル情報に基づいて前記建物内の空間を内側から見た内観の二次元画像を作成させるコンピュータプログラムにおいて、前記コンピュータに、前記空間の平面形状、前記空間の開口、又は前記空間に配置されている建具、設備若しくは家具に基づき、視線の始点である視点の候補を抽出するステップ、前記空間の平面形状、前記空間の間口、又は前記空間に配置されている建具の前記空間における位置に基づき前記視線の先の注視点の候補を抽出するステップ、抽出された視点の候補及び注視点の候補の組み合わせから、視線から注視点への視線を設定するステップ、及び設定された視線による前記空間の内観画像を作成するステップを実行させることを特徴とする。
【００１６】
本発明では、三次元モデル情報から建物の空間における視線が自動的に設定され、設定された視線による内観画像が作成される。
【００１７】
本発明では、三次元モデル情報に含まれる建物の空間の平面形状、開口、建具、設備、若しくは家具の情報に基づき、視点の候補及び注視点の候補が夫々抽出され、抽出された視点の候補と注視点の候補との組み合わせから視線が自動的に設定される。空間の開口、建具、設備、家具の位置を基準として視線が設定されることにより、現実的なイメージを抱かせ得る内観画像の作成が可能である。
【００１８】
本発明では、抽出された視点の候補と注視点の候補との組み合わせには、その視点と注視点との間の長さ、視点又は注視点の位置の前記空間における方角とに基づく優先順位が付与される。長い視線の優先順位を高くすることで、空間に含まれる建具、家電、家具、設備等の多様な情報をより多く含む現実的なイメージ図である内観画像の作成が可能である。
【００１９】
本発明では、建物の三次元モデル情報に含まれている建具、設備若しくは家具等の内装品の寸法又は種類を示す情報から、別途記憶されてある内装品の三次元モデル情報に基づく立体的な情報に置換され、空間に内装品が配置された様子を示す内装品画像を含む内観画像が作成される。しかも内装品画像は色又はテクスチャが描画されており、より現実的なイメージ図の内観画像の作成が可能である。
【００２０】
本発明では、別途記憶されている内装品の色又はテクスチャの情報又は三次元モデル情報は、テーマ別に記憶されており、選択されるテーマに対応する内装品画像の作成が可能である。
【発明の効果】
【００２１】
本発明によれば、内観パース図を適切且つ迅速に作成することが可能である。
【図面の簡単な説明】
【００２２】
【図１】本実施の形態における内観画像作成装置の構成を示すブロック図である。
【図２】記憶部に記憶されている内装品に関する情報の一例を示す説明図である。
【図３】内観画像作成装置の制御部による処理手順の一例を示すフローチャートである。
【図４】視線設定処理の詳細な手順の一例を示すフローチャートである。
【図５】三次元データに対応する建物の間取り図の一例である。
【図６】抽出される視点Ｅの候補例を示す説明図である。
【図７】抽出される視点Ｅの他の候補例を示す説明図である。
【図８】抽出される視点Ｅの他の候補例を示す説明図である。
【図９】抽出される視点Ｅの他の候補例を示す説明図である。
【図１０】抽出された視点Ｅからの絞り込みの例を示す説明図である。
【図１１】抽出される注視点Ｌの候補例を示す説明図である。
【図１２】抽出される注視点Ｌの他の候補例を示す説明図である。
【図１３】抽出される注視点Ｌの他の候補例を示す説明図である。
【図１４】抽出された注視点Ｌからの絞り込みの例を示す説明図である。
【図１５】作成された視線の一例を示す説明図である。
【図１６】表示部に表示される視線情報リストの内容例を示す説明図である。
【図１７】表示部に表示される視線情報リストの内容例を示す説明図である。
【図１８】内観画像の一例を示す説明図である。
【図１９】内観画像の一例を示す説明図である。
【発明を実施するための形態】
【００２３】
以下、本発明をその実施の形態を示す図面に基づいて具体的に説明する。
【００２４】
図１は、本実施の形態における内観画像作成装置の構成を示すブロック図である。内観画像作成装置１は、ＰＣ（Personal Computer ）を用いる。内観画像作成装置１は、制御部１０、一時記憶部１１、記憶部１２、表示部１３、操作部１４、通信部１５、及び入力部１６を備える。
【００２５】
制御部１０は、ＣＰＵ（Central Processing Unit ）及びＧＰＵ（Graphics Processing Unit）を用いる。制御部１０は、記憶部１２に記憶されている内観画像作成プログラム１Ｐを読み出して実行することにより、汎用のＰＣを内観画像作成装置１として動作させる。一時記憶部１１は、ＤＲＡＭ（Dynamic Random Access Memory）等のＲＡＭを用いる。一時記憶部１１は、制御部１０の処理によって生成される情報を一時的に記憶する。
【００２６】
記憶部１２は、ＨＤＤ（Hard Disk Drive ）を用いる。記憶部１２は勿論、ＨＤＤ以外の記憶装置、例えばフラッシュメモリを用いたＳＳＤ（Solid State Drive ）を用いてもよい。記憶部１２は、制御部１０が読み出す内観画像作成プログラム１Ｐの他、制御部１０が表示部１３に表示させる建築物の３次元モデル情報のデータを記憶してもよい。また記憶部１２は予め、建具、内装品、設備、又は家具等の内装品のテクスチャ情報（画像）及び色の情報を記憶している。また、立体的な内装品については三次元モデル情報を記憶しているとよい。なお内装品に係る情報は、外部の記憶装置に記憶されており、制御部１０は通信部１５又は入力部１６を介してこれらの情報を取得し、記憶部１２に記憶するようにしてもよい。
【００２７】
表示部１３は液晶ディスプレイを用いる。制御部１０は、表示部１３へ文字及びアイコン等の画像を含む各種操作画面を表示させる。なお表示部１３は、液晶ディスプレイ以外のものを用いてもよい。
【００２８】
操作部１４は、ＰＣのユーザインタフェースであるポインティングデバイス及びキーボード等を用いる。
【００２９】
通信部１５は、通信接続を実現するデバイス及び送受信回路を用いる。通信部１５による通信は無線であってもよいし、有線であってもよい。制御部１０は、通信部１５を介して、各種情報を外部装置から取り込み記憶部１２に記憶させることができる。また、制御部１０は、通信部１５を介して、作成した画像を外部記憶装置へ出力することができる。
【００３０】
入力部１６は、有線通信接続を実現するインタフェースである。入力部１６は例えばＵＳＢ（Universal Serial Bus）インタフェースである。
【００３１】
図２は、記憶部１２に記憶されている内装品に関する情報の一例を示す説明図である。記憶部１２は、図２に示すように、フローリング（WOODEN_FLOORING_01，WOODEN_FLOORING_02）等の内装部材のテクスチャ情報が複数記憶されているほか、建具及び家具の三次元モデル情報が記憶されている。また家具の三次元モデル情報は、同一の家具（例えば図２では椅子（CHAIR_01））であっても、異なるテクスチャ情報又は色が対応付けられている。更にテクスチャ情報は夫々、「ナチュラル（NATURAL ）」、「モダン（MODERN）」及び「スタイリッシュ（STYLISH ）」等のテーマ名が対応付けられており、後述するように選択されたテーマによってテクスチャ又は色が切替可能である。なお、テーマ別に切替可能な情報は、テクスチャ情報又は色のみに限らない。例えば、内装品の三次元モデル情報自体が異なるテーマに対応付けられていてもよい。つまり、同一の種類の椅子、例えばダイニングチェアであっても「ナチュラル」、「モダン」及び「スタイリッシュ」とでは夫々三次元モデル情報が異なる。
【００３２】
このように構成される内観画像作成装置１にて制御部１０は、内観画像作成プログラム１Ｐに基づき、通信部１５又は入力部１６から取得した三次元モデル情報に基づき、選択される空間（部屋）を内部から見た場合のイメージ図（内観パース）を作成して表示部１３に表示する。その際に制御部１０は、選択される空間の中のどの箇所をどの視点から見たイメージ図を作成するかを自動的に決定し、更にリスト化して選択可能とする。更に制御部１０は、三次元モデル情報に含まれる建具、内装部材、設備又は家具の情報を三次元グラフィック画像に置き換え、テクスチャ、陰影等を付加する。これらの機能を実現するための処理手順を、フローチャートを参照して説明する。
【００３３】
図３は、内観画像作成装置１の制御部１０による処理手順の一例を示すフローチャートである。
【００３４】
制御部１０は、建築物の三次元モデル情報を入力する（ステップＳ１０１）。ここで建築物の三次元モデル情報とは、例えばＣＡＤデータである。ＣＡＤデータは、間取り即ち空間を定義する寸法、壁の厚み等の寸法（高さを含む）情報、更に各空間の名称（「エントランス」「ＬＤＫ」「リビング」「ダイニング」「キッチン」「主寝室」「子供部屋」等）の情報と、各空間に配置される建具及び窓の種類とを含む。更にＣＡＤデータには、キッチン、風呂等の水回りの設備、電気系統の配線、仮に置かれている可動の家具、家電等の内装品の情報を含んでよい。内装品の情報は、設備、家電及び家具の品番等夫々を識別する情報及び寸法の情報である。なお内装品の情報は「洗面台」等の設備の名称、「冷蔵庫」等の家電の名称、若しくは「ダイニングチェア」等の家具の名称であってもよい。
【００３５】
制御部１０は、取得した三次元モデル情報に基づき、建築物に含まれる空間（部屋）の内、内観画像の作成対象となる空間のリストを作成し、表示部１３に表示する（ステップＳ１０２）。表示部１３には例えば、「エントランス」、「ＬＤＫ」、「リビング」、「ダイニング」、「キッチン」又は「子供部屋」等の名称又は間取りによって選択が可能となるようにリストが表示される。内観画像の作成対象となる空間は、空間の名称又は空間の広さに基づいて予め定められる。なお制御部１０は全空間をリストとするようにしてもよい。
【００３６】
制御部１０は、表示された空間のリストから空間の選択を受け付ける（ステップＳ１０３）。そして制御部１０は、選択された空間に含まれる建具、設備、又は家具等の内装品を示す情報に基づき、個々の３次元モデル情報及びテクスチャ情報を含むオブジェクト情報を取得する（ステップＳ１０４）。ステップＳ１０４で取得されるオブジェクト情報は、記憶部１２に記憶されているか、又は外部記憶装置から通信部１５若しくは入力部１６により取得したものであってもよい。
【００３７】
なおステップＳ１０４において制御部１０は、選択された空間に内装品が含まれていない場合、その空間の種別に応じて予め記憶されてある内装品を配置するようにしてもよい。この場合制御部１０は、選択された空間が「リビング」である場合、「リビング」に配置されるものとして予め「リビング」に対応付けて記憶してある家電又は家具、更には植物、絵、時計等のインテリア小物の三次元モデルに基づいて内装品を描画する。
【００３８】
制御部１０は、選択された空間における視線設定処理を実行する（ステップＳ１０５）。ステップＳ１０５において制御部１０は、選択された空間の画像を適切に表現するための視線を自動的に設定する。なお視線設定処理の詳細は後述する。
【００３９】
制御部１０は、ステップＳ１０５で得られた視線情報リストを表示部１３に表示し（ステップＳ１０６）、選択を受け付ける（ステップＳ１０７）。そして制御部１０は、選択された視線に基づき、ステップＳ１０４で取得したオブジェクト情報を用い、クロス、フローリング等の内装部材、ドア、窓等の建具、キッチン等の設備、又は椅子、テーブル等の家具の内装品を前記空間内に配置した内観画像を作成する（ステップＳ１０８）。
【００４０】
更に制御部１０は、ステップ１０８で作成した内観画像に対し、陰影、鏡面効果等を加える加工処理を実行する（ステップＳ１０９）。ステップＳ１０９において制御部１０は、三次元モデル上に光源を設定して陰影処理を実行してもよいが、この場合は高い処理能力を要する。したがって本実施の形態では制御部１０は、作成した内観画像に対し、所定の角度へ向けて階調が変化するグラデーション画像を影フィルターとして天井面、壁面、床面、家具等に重畳することで陰影又は鏡面効果を加える（特許文献２参照）。これにより陰影を付加した画像を迅速に得ることが可能である。
【００４１】
そして制御部１０は、加工後の内観画像を表示部１３に表示させる（ステップＳ１１０）。表示される内観画像は、三次元モデルに対して天井、壁にクロスが貼られ、床面には絨毯、フローリング部材、又は畳のテクスチャが描かれ、配置されているカーテン、照明が描かれ、更には仮に配置されている設備、家具、家電等が描かれている。また内観画像には、植物、絵、時計などのインテリア小物の画像が含まれていることが好ましい。
【００４２】
制御部１０は、内装品のテーマの切替アイコンを表示部１３に表示させ（ステップＳ１１１）、切替アイコンの選択を受け付け（ステップＳ１１２）、選択された切替アイコンに対応するテーマのテクスチャ又は色の内装品を含む内観画像を再作成する（ステップＳ１１３）。
【００４３】
そして制御部１０は、再作成した内観画像を表示部１３に再表示させ（ステップＳ１１４）、処理を終了する。再表示される内観画像は、クロスの色又はテクスチャが変更され、絨毯、フローリング部材又は畳の色又はテクスチャが変更され、設備、家具、家電等の色又はテクスチャが変更されて再作成されたものである。なお色及びテクスチャについては、作成された内観画像に対して、パーツごとに色及びテクスチャのみが変更可能な構成であってもよい。
【００４４】
なお図３のフローチャートに示した処理の内、ステップＳ１１２にて切替アイコンが選択されない場合は、ステップＳ１１２〜Ｓ１１４の処理は省略される。また、ステップ１０６及びＳ１０７の処理手順は省略してもよい。リストから選択されることは必須ではなく、初期的に設定された視線に基づいて内観画像が作成され、その後、他の視線が選択可能となってもよい。
【００４５】
図４は、視線設定処理の詳細な手順の一例を示すフローチャートである。以下制御部１０は、選択された空間の平面図に基づき、該平面図上における視線、即ち視線の始点の平面図上の位置を視点Ｅ（eye ）とし、視線の先の平面図上の位置を注視点Ｌ（look）とした視点Ｅ及び注視点Ｌ間を結ぶ線分を特定する処理を実行する。
【００４６】
制御部１０は、選択された空間の平面形状に基づき、入隅（コーナー）及び各辺の中点（中央）を視点Ｅの候補として抽出する（ステップＳ５０１）。
【００４７】
次に制御部１０は、選択された空間に関する動線に基づき、開口部の区間の中点を視点Ｅの候補として抽出する（ステップＳ５０２）。なお制御部１０は開口部の内、選択されている空間に該開口部によって通じる他の空間も内観画像の作成対象である開口部については、ステップＳ５０２の抽出対象から除外するとよい。
【００４８】
更に制御部１０は、選択された空間の境界壁に配置されている内部建具（ドア、戸、又は襖等の出入り口（収納の建具は除く））の中心を視点Ｅの候補として抽出する（ステップＳ５０３）。
【００４９】
制御部１０は、選択された空間に配置されている家具又は設備を基準とした位置（家具又は設備品を利用する際の立ち位置、又は座った位置）を視点Ｅの候補として抽出する（ステップＳ５０４）。なお家具は全ての家具ではなく、住宅に住む顧客の居場所として頻度が高いもの、例えば「椅子」「ソファ」「キッチン」等として予め記憶しておく。
【００５０】
制御部１０は、選択された空間の三次元モデル情報に、視点Ｅが指定されている場合、これを候補として抽出する（ステップＳ５０５）。
【００５１】
制御部１０は、ステップＳ５０１〜Ｓ５０５にて抽出した視点Ｅの候補の内、視点Ｅ同士が所定の距離（距離の数値又は辺の長さに対する割合）以内に存在するものを候補から除外する（ステップＳ５０６）。なおステップＳ５０６では、制御部１０は例えばステップＳ５０５で抽出した候補（指定）を最も優先し、次にステップＳ５０４で抽出した候補（家具の中心）、次にステップＳ５０３で抽出した候補（内部建具の中心）、次にステップＳ５０２で抽出した候補（開口部区間の中点）を優先して距離が近い視点Ｅ同士の内の一方を優先させる。
【００５２】
次に制御部１０は、選択された空間の平面形状の重心を注視点Ｌの候補として抽出する（ステップＳ５０７）。
【００５３】
制御部１０は、選択された空間の開口部の区間の中点を注視点Ｌの候補として抽出する（ステップＳ５０８）。なお制御部１０は開口部の内、選択されている空間に該開口部によって通じる他の空間が内観画像の作成対象外である開口部については、ステップＳ５０８の抽出対象から除外するとよい。
【００５４】
更に制御部１０は、選択された空間の境界壁に配置されている外部建具（ここでは開口部が比較的大きい吐き出し、腰窓等が好ましい）の中心を注視点Ｌの候補として抽出する（ステップＳ５０９）。
【００５５】
制御部１０は、選択された空間に配置されている設備又は家電（キッチン、テレビ等）の中心を注視点Ｌの候補として抽出する（ステップＳ５１０）。
【００５６】
そして制御部１０は、ステップＳ５０７〜Ｓ５１０にて抽出した注視点Ｌの候補の内、注視点Ｌ同士が所定の距離（距離の数値又は辺の長さに対する割合）以内に存在するものを候補から除外する（ステップＳ５１１）。なおステップＳ５１１では、制御部１０は例えばステップＳ５１０で抽出した候補（設備の中心）を最も優先し、次にステップＳ５０９で抽出した候補（外部建具の中心）、次にステップＳ５０８で抽出した候補（開口部区間の中点）を優先して距離が近い注視点Ｌ同士の内の一方を優先させる。
【００５７】
制御部１０は抽出された視点Ｅの候補及び注視点Ｌの候補を結ぶ視線を各作成する（ステップＳ５１２）。なおステップＳ５１２において制御部１０は、選択された空間の平面形状に基づき抽出した視点Ｅについては、注視点Ｌと結んだ視線を作成しない。これら入隅又は辺の中点から抽出された視点Ｅについては、制御部１０は所定の向きへの視線を作成する。
【００５８】
そして制御部１０は、選択されている空間の周壁及び内部に設けられている壁、並びに、内部に配置されている家具、家電、又は設備と、視線とが交差するか否かを夫々判断し、交差する視線を除外して絞り込みを行なう（ステップＳ５１３）。なおステップＳ５１３において制御部１０は、選択された空間の平面形状から抽出した視点Ｅからの視線については除外対象から外してよい。
【００５９】
なおステップＳ５１３においては、選択されている空間の平面図において交差するか否かを判断するのみならず、高さ情報を用いて立体的に交差するか否かを判断して絞り込みを行なってもよい。例えば制御部１０は、視点Ｅの候補には床面からの高さ１０００〜１２００ｍｍ、注視点Ｌには視点Ｅと同高さ（注視点Ｌが家具の場合は８００ｍｍ等としてもよい）と高さを設定する。いずれの高さも、顧客の視線の高さを基準とするとよい。そして制御部１０は、三次元的に壁、家具、家電、又は設備と交差するか否かを判断し、これらの障害物に視界が遮られる視線については除外するようにしてもよい。またこのとき制御部１０は、作成した視線に基づき内観画像を各作成し、作成した内観画像について壁以外の家具、家電又は設備に対応する画素が画像内の所定の割合以上を占める場合に、当該視線は視界が遮られる視線であるとして除外するようにしてもよい。
【００６０】
次に制御部１０は、絞り込みによって得られた視線に優先順位を付与する（ステップＳ５１４）。ステップＳ５１４において制御部１０は、視線の長さが長いほど優先順位を高くする。更に制御部１０は、同一の長さの視線については、視線の方角に基づいて優先順位を付与してもよい。例えば制御部１０は、南向き又は南東向きの視線の優先順位を高くする。また視点Ｅの空間における位置が北西側であるか、南東側であるかにより判別し、空間の開口部をできる限り視線の先とするように北西側にあるものの優先順位を高くするようにしてもよい。
【００６１】
そして制御部１０は、付与された優先順位の上位である複数の視線の視線情報リストを作成し（ステップＳ５１５）、図３のフローチャートにおけるステップＳ１０６へ処理を戻す。なおステップＳ５１５において制御部１０は、例えば上位３つ等、数を絞って視線を抽出し、優先順位の高さ順の視線情報リストを作成するとよい。なお視線情報リストは視点Ｅ及び注視点Ｌの空間内における座標情報のリストである。
【００６２】
また制御部１０はステップＳ５１５において、視線情報リストの内、最も優先順位が高い視線を初期的な視線として設定してから処理を図３のフローチャートにおけるステップＳ１０８へ戻すようにしてもよい。
【００６３】
図３及び図４のフローチャートにて説明した処理について具体例を挙げて説明する。図５は、三次元データに対応する建物の間取り図の一例である。制御部１０は、通信部１５又は入力部１６から図５に示す三次元データを入力するとまず、図５の「エントランス」、「リビング」、「ダイニング」及び「キッチン」をリスト化し、選択を受け付ける（Ｓ１０２、Ｓ１０３）。以下では図５中の符号Ｒで示す空間に対応する「リビング」が選択されたものとして説明する。
【００６４】
図６は、抽出される視点Ｅの候補例を示す説明図である。図６は、選択された空間、即ち「リビング」の平面図が示されており、「リビング」の平面形状を囲う矩形が示されている。図６に示すように、制御部１０はステップＳ５０１にて矩形の四隅を入隅として黒丸で示す視点Ｅの候補を抽出し、更に、四辺の各中央を同様に黒丸で示す視点Ｅの候補として抽出する。
【００６５】
図７は、抽出される視点Ｅの他の候補例を示す説明図である。図７は図６同様「リビング」の平面図上で視点Ｅの候補を黒丸で示している。図７に示すように制御部１０は、ステップＳ５０２にて「リビング」に繋がる開口部の区間の中点を夫々視点Ｅの候補として抽出する。ただし制御部１０は、内観画像の作成対象の他の空間である「ダイニング」と繋がる開口部については図７中の破線の丸及び矢印で示すように、抽出対象から除外するとよい。
【００６６】
図８は、抽出される視点Ｅの他の候補例を示す説明図である。図８は図６同様「リビング」の平面図上で視点Ｅの候補を黒丸で示している。図８に示すように制御部１０は、ステップＳ５０３にて、「エントランス」から繋がる内部建具である引き戸の中心を視点Ｅの候補として抽出する。
【００６７】
図９は、抽出される視点Ｅの他の候補例を示す説明図である。図９は図６同様「リビング」の平面図上で視点Ｅの候補を黒丸で示している。図９に示すように制御部１０は、ステップＳ５０４にて「リビング」に配置されている「ソファ」の座面位置を視点Ｅの候補として抽出する。なお家具を視点Ｅの候補とする場合は、家具の種別毎に予め視点Ｅの候補とするべき位置を定めておき、記憶しておくとよい。
【００６８】
図１０は、抽出された視点Ｅからの絞り込みの例を示す説明図である。図１０は図６同様「リビング」の平面図上で絞り込みの結果、残された視点Ｅの候補を黒丸で示し、除外された視点Ｅの候補を破線の丸にて示している。図１０に示すように制御部１０はステップＳ５０６にて、内部建具である引き戸の中心である視点Ｅの候補と、入隅の１つである視点Ｅの候補とでは、距離が例えば９１０ｍｍ（例えばモジュールに基づく単位長さ、吋モジュール、メータモジュールであってもよい）以内であるために引き戸の隣の入隅は、候補から除外する。また制御部１０は、開口部の区間の中点である視点Ｅの候補と、入隅又は各辺の中点である視点Ｅの候補とでは、距離が同様にして９１０ｍｍ以内であるために、入隅又は各辺の中点は、候補から除外する。
【００６９】
図１１は、抽出される注視点Ｌの候補例を示す説明図である。図１１は「リビング」の平面図上で注視点Ｌの候補を黒三角で示している。図１１に示すように制御部１０は、ステップＳ５０７にて、「リビング」の平面形状である矩形の重心を注視点Ｌの候補として抽出する。
【００７０】
図１２は、抽出される注視点Ｌの他の候補例を示す説明図である。図１２は「リビング」の平面図上で注視点Ｌの候補を黒三角で示している。図１２に示すように制御部１０は、ステップＳ５０８にて、「リビング」に繋がる開口部の区間の中点を夫々注視点Ｌの候補として抽出する。ただし制御部１０は、内観画像の作成対象である「ダイニング」と繋がる開口部以外の開口部における中点については図１２中の破線で示すように、抽出対象から除外する。
【００７１】
図１３は、抽出される注視点Ｌの他の候補例を示す説明図である。図１３は「リビング」の平面図上で注視点Ｌの候補を黒三角で示している。図１３に示すように制御部１０は、ステップＳ５０９にて「リビング」の境界壁に配置されている大きな「窓」の中心を注視点Ｌの候補として抽出する。
【００７２】
図１４は、抽出された注視点Ｌからの絞り込みの例を示す説明図である。図１１〜図１３で示した例の場合、距離が例えば９１０ｍｍ以内の所定の距離以内に存在するものが無いと判断されるため、図１１〜図１３にて抽出された３つの注視点Ｌが全て示されている。
【００７３】
図１５は、作成された視線の一例を示す説明図である。図１５は「リビング」の平面図上で視点Ｅの候補を黒丸で示し、注視線Ｌの候補を黒三角で示している。図１５に示すように制御部１０はステップＳ５１２において、部屋の開口部、内部建具の中心及び家具の重心により抽出された視点Ｅと、部屋の重心、開口部及び外部建具の中心により抽出された注視点Ｌとを結んで視線とする。そして制御部１０はステップＳ５１２において、部屋の形状に基づき抽出した視点Ｅに対し、所定の距離ずらした位置から所定の向きへの直線を視線とする。
【００７４】
そして制御部１０は、図１５に示すように、作成された視線の内の最も長い視線に最も高い優先順位「１」を付与する。図１５に示す場合、「エントランス」から「リビング」へ繋がる内部建具である引き戸の中心である視点Ｅから、「ダイニング」へ繋がる開口部の区間の中心である注視点Ｌまでの視線に、最も高い優先順位が付与されている。次に「リビング」の北東部の隅の開口部の区間の中心である視点Ｅから、外部建具である大きな窓の中心である注視点Ｌまでの視線に、第２番目に高い優先順位が付与されている。そして次に、「リビング」の北側のスクリーンを含む開口部の区間の中心である視点Ｅから、外部建具である大きな窓の中心である注視点Ｌまでの視線に、第３番目に高い優先順位が付与されている。
【００７５】
図１６は、表示部１３に表示される視線情報リストの内容例を示す説明図である。図１６は、制御部１０が内観画像作成プログラム１Ｐを読み出すことによって表示部１３に表示される画面例を示している。図１６に示す画面例は例えば、住宅販売に係るオペレータが内観画像作成装置１の操作部１４を用い、建築予定の住宅のその時点における三次元モデル情報を通信部１５から読み込ませ、制御部１０の動作によって作成された空間リストから「リビング」を選択する操作を行なった場合に表示される。
【００７６】
図１６の画面例には、「リビング」において制御部１０の処理によって設定された視線に各対応する複数の矢印アイコン１３１が各表示されている。そして、図１５の説明図で示したように優先順位が高い視線の内、第３番目までの視線に対応する矢印アイコン１３１が表示されている。そして最も優先順位が高い「エントランス」から「リビング」へ繋がる内部建具である引き戸の中心から、「ダイニング」へ繋がる開口部の区間の中心までの視線に対応する矢印アイコン１３１が太く強調されて表示されている。
【００７７】
オペレータが矢印アイコン１３１のいずれかを選択する操作を行なった場合、制御部１０がこれを検知し、対応する内観画像を描画作成し（Ｓ１０８）、加工処理（Ｓ１０９）を行なって内観画像を表示する（Ｓ１１０）。このようにして、オペレータは三次元モデル情報の読み込み、内観画像の作成対象の空間の選択、及び視線の選択という容易な手順で、バランス美に長けた内観画像を表示させることが可能である。
【００７８】
次に、実際に作成される内観画像の内容例を、図面を参照して説明する。図１７は、表示部１３に表示される視線情報リストの他の内容例を示す説明図である。図１７の例は、図５〜図１６に示した空間の例とは異なる三次元モデル情報を制御部１０が取得した場合であって、「ＬＤＫ」という空間が選択された場合の例を示している。制御部１０は、「ＬＤＫ」の空間に対し、家電（冷蔵庫）に対する利用者の立ち位置を視点Ｅとして空間の平面形状における重心を注視点Ｌとした視線、平面形状における入隅又は中点を視点Ｅとして空間の重心を注視点Ｌとした視線等をリスト化している。そして制御部１０は、夫々の視線に対応する矢印アイコン１３１を表示し、特に、キッチンの家電（冷蔵庫）に対する利用者の立ち位置を視点Ｅとする視線と、該視線の対角の位置関係にあり、ソファが配置されている場所を視点Ｅとする視線とに対応する矢印アイコン１３１を強調して表示している。
【００７９】
図１８及び図１９は、内観画像の一例を示す説明図である。図１８は、図１７に示されている視線情報リストの内、キッチンの家電（冷蔵庫）に対する利用者の立ち位置を視点Ｅとする視線に対応する矢印アイコン１３１が選択された場合に作成される内観画像を示している。図１８に示すように図１７中に示されているような平面の間取り図から、より現実的なイメージを抱かせる内観画像の表示が可能である。キッチンの家電に対する利用者の立ち位置を視点Ｅとする視線が自動的に設定され、これにより顧客が希望する視点の内観画像を得ることが可能である。
【００８０】
図１９は、図１７に示されている視線情報リストの内、図１８の対角関係にある矢印アイコン１３１が選択された場合に作成される内観画像を示している。図１９に示すように、図１７に示されているような平面の間取り図から、現実的な内観画像の表示が可能である。キッチン設備を注視点Ｌとする視線が自動的に設定され、これにより具体的なイメージを想起させ、注文住宅の完成に期待を抱かせ得る現実的な内観画像を手軽に表示させることが可能である。
【００８１】
本実施の形態に係る内観画像作成装置１を用いることにより、図１８及び図１９に示したような内観画像を手軽に表示部１３に表示させることができる。更に、本実施の形態における内観画像作成装置１では、内観画像に自動的に配置される内装品について、色又はテクスチャ、又は三次元モデルそのものを切り替えた異なるテーマの内観画像を得ることができる。したがって顧客は、注文住宅の設計又はインテリアの打ち合わせにてフローリング部材、巾木、内部建具、外部建具又はクロス等の内装部材の色又は素材の選択を行なう際に、内観画像作成装置１にて作成される内観画像を確認しながら、選択が可能である。これにより、顧客の満足度が飛躍的に向上することが期待される。
【００８２】
なお図１８及び図１９にて作成される内観画像が三次元モデル情報を読み込んでから表示されるまでには、例えば数十秒を要する程度で済むようにしてある。更に色又はテクスチャのみの変更に要する時間は（例えば即座に、遅くとも数秒以内）短くなる。
【００８３】
なお本実施の形態において表示された内観画像は、表示部１３に表示されることなしに、記憶部１２に記憶されるか、又は通信部１５により外部サーバ装置に送信され、後に他の表示装置にて表示されるようにしてもよいことは勿論である。
【００８４】
また、制御部１０は、作成された内観画像を記憶部１２又は外部サーバ装置に記憶させる場合、その元となる三次元モデル情報を識別する情報と、その中の空間を識別する情報とに加え、視線の情報（視点Ｅと注視点Ｌとの座標情報）が対応付けて記憶させるとよい。そして制御部１０は、視線が選択される都度、その選択された視線の情報を空間の種別と対応付けて記憶しておき、空間の種別毎に、より選択される可能性が高い視線に対して優先順位を高められるように、優先順位の付与の基準にフィードバックするようにしてもよい。この場合、優先順位の基準は別途書き換え可能に構成されているとよい。
【００８５】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８６】
１  内観画像作成装置
１０  制御部
１２  記憶部
１３  表示部
１４  操作部
１Ｐ  コンピュータプログラム
【図１】
0006275764.tif 000002
【図２】
0006275764.tif 000003
【図３】
0006275764.tif 000004
【図４】
0006275764.tif 000005
【図５】
0006275764.tif 000006
【図６】
0006275764.tif 000007
【図７】
0006275764.tif 000008
【図８】
0006275764.tif 000009
【図９】
0006275764.tif 000010
【図１０】
0006275764.tif 000011
【図１１】
0006275764.tif 000012
【図１２】
0006275764.tif 000013
【図１３】
0006275764.tif 000014
【図１４】
0006275764.tif 000015
【図１５】
0006275764.tif 000016
【図１６】
0006275764.tif 000017
【図１７】
0006275764.tif 000018
【図１８】
0006275764.tif 000019
【図１９】
0006275764.tif 000020